(57)【要約】【課題】  精度よくノイズの発生に対応したノイズ低減処理を行う。【解決手段】  録画及び録音を開始し、画像データに関しては順次メモリに記録していく（Ｓ２０１）。次に、電流波形がスレッシュホールドに上昇到達したか否かにより、電流波形がＯＮとなったか否かを判断する（Ｓ２０２）。ＯＮとなっていない場合には、Ｓ２０３及びＳ２０４の処理を行うことなく、Ｓ２０５に進んで、マイクロホンにより検出された音声データをメモリに記憶させる。そして、電流波形がＯＮとなって、ズームモーターが回転を開始したならば、メモリから予め記憶しておいたズーム音データを読み出す（Ｓ２０３）。引き続き、マイクロホン及び音声処理回路を介して得られた周囲の音声データからズーム音を減算する減算処理を行い、この減算処理を行った音声データを記憶すべき音声データとして（Ｓ２０４）、これをメモリに記憶する（Ｓ２０５）。【選択図】      図５
2006179996.tif 000002
【特許請求の範囲】
【請求項１】
動画を撮像する撮像手段と、
この撮像手段による撮像時に周囲の音声を検出する検出手段と、
前記撮像手段により撮像される動画と前記検出手段により検出される音声とを記録する記録手段と、
電流により駆動される所定の動作手段の動作に伴って発生するノイズを低減処理するノイズ低減処理手段と、
前記動作手段を駆動する電流波形に基づき、前記ノイズ低減処理手段による低減処理の実行の有無を制御する制御手段と
を備えることを特徴とする電子カメラ。
【請求項２】
電流により駆動される所定の動作手段を備えた機器に配置され、前記動作手段の動作に伴って発生するノイズを低減処理するノイズ低減処理手段を備えるノイズ低減装置であって、
前記動作手段を駆動する電流波形に基づき、前記ノイズ低減処理手段による低減処理の実行の有無を制御する制御手段を備えることを特徴とするノイズ低減装置。
【請求項３】
前記制御手段は、前記電流波形が所定の閾値以上か否かを判断する判断手段を含み、この判断手段により前記電流波形が所定の閾値以上であると判断されている場合に前記ノイズ低減処理手段による低減処理を実行することを特徴とする請求項２記載のノイズ低減装置。
【請求項４】
前記制御手段は、前記電流波形に基づき、前記ノイズ低減処理手段の処理開始タイミング及び又は処理終了タイミングを制御することを特徴とする請求項２又は３記載のノイズ低減装置。
【請求項５】
前記動作手段は、モーターであることを特徴とする請求項２から４にいずれか記載のノイズ低減装置。
【請求項６】
前記機器はカメラであり、前記動作手段はレンズを駆動するズームモーターであることを特徴とする請求項１から４にいずれか記載のノイズ低減装置。
【請求項７】
前記機器は、周囲の音声を検出する検出手段と、
この検出手段により検出された音声を記録する録音手段とを備えることを特徴とする請求項２から６にいずれか記載のノイズ低減装置。
【請求項８】
前記ノイズ低減処理手段は、前記動作手段の動作に伴って発生するノイズを予め記憶した記憶手段と、
前記ノイズの発生時において、前記検出手段により検出された音声から前記記憶手段に記憶されているノイズを減算する減算手段と
を備えることを特徴とする請求項７記載のノイズ低減装置。
【請求項９】
前記記憶手段は、前記電流波形が所定の閾値以上であるときに前記動作手段の動作に伴って発生したノイズを予め記憶することを特徴とする請求項８記載のノイズ低減装置。
【請求項１０】
電流により駆動される所定の動作手段を備えた機器に配置され、前記動作手段の動作に伴って発生するノイズを低減処理するノイズ低減処理手段を備えるノイズ低減装置が有するコンピュータを、
前記動作手段を駆動する電流波形に基づき、前記ノイズ低減処理手段による低減処理の実行の有無を制御する制御手段として機能させることを特徴とするノイズ低減制御プログラム。
【請求項１１】
電流により駆動される所定の動作手段を備えた機器において、前記動作手段の動作に伴って発生するノイズをノイズ低減処理手段により低減処理するノイズ低減方法であって、  前記動作手段を駆動する電流波形に基づき、前記ノイズ低減処理手段の実行の有無を制御することを特徴とするノイズ低減方法。
【発明の詳細な説明】
【技術分野】
【０００１】
本発明は、各種機器に搭載されているモーター等の動作手段の動作に伴って発生するノイズを低減するための電子カメラ、ノイズ低減装置、ノイズ低減制御プログラム及びノイズ低減方法に関する。
【背景技術】
【０００２】
従来、例えば撮影画像とともに撮影時の音声を記録するカメラにおいては、ズームモーターの動作に伴って発生するノイズを低減することにより記録音声へのノイズの混入を防止するためのノイズ低減装置を搭載したものが提案されている。このノイズ低減装置は、ズームキーの操作が検出されると、マイクロホンにより検出される音声のレベルを一定レベルに減衰させることにより、ズームキーの操作に応答して動作したズームモーターの動作ノイズが録音されることを防止する（例えば、特許文献１参照）。
【特許文献１】特開平６−２９２０４８号公報
【発明の開示】
【発明が解決しようとする課題】
【０００３】
しかしながら、ユーザがズームキーを操作してズームモーター回路のスイッチがオンとなるまでの間には不可避的に第１のタイムラグが生じ、さらに、スイッチがオンとなって実際にズームモーターが回転を開始するまでの間には不可避的に第２のタイムラグが生ずる。したがって、前述した従来技術のようにズームキーの操作に応答して、マイクロホンにより検出される音声のレベルを一定レベルに減衰させると、ズームモーターの動作ノイズが生じてないのにも拘わらず、音声のレベルが一定レベルに減衰され、必要な音声が欠落してしまう。
【０００４】
つまり、従来の技術は、タイムラグを考慮することなくノイズ低減処理を開始することから、精度よくノイズの発生に対応した低減処理を行い得るものではなかった。
【０００５】
本発明は、かかる従来の課題に鑑みてなされたものであり、精度よくノイズの発生に対応したノイズ低減処理を行うことのできる電子カメラ、ノイズ低減装置、ノイズ低減制御プログラム及びノイズ低減方法を提供することを目的とするものである。
【課題を解決するための手段】
【０００６】
前記課題を解決するため請求項１記載の発明に係る電子カメラにあっては、動画を撮像する撮像手段と、この撮像手段による撮像時に周囲の音声を検出する検出手段と、前記撮像手段により撮像される動画と前記検出手段により検出される音声とを記録する記録手段と、電流により駆動される所定の動作手段の動作に伴って発生するノイズを低減処理するノイズ低減処理手段と、前記動作手段を駆動する電流波形に基づき、前記ノイズ低減処理手段による低減処理の実行の有無を制御する制御手段とを備える。
【０００７】
つまり、動作手段の駆動源となる電流波形に基づき、ノイズ低減処理手段の処理実行の有無が制御されれば、この動作装置に電流が供給され始めて当該動作装置が実際に動作を開始する時点までのタイムラグを考慮して、ノイズ低減処理手段による処理を開始させることができる。よって、精度よくノイズの発生に対応したノイズ低減処理を行うことができ、その結果、実際にはノイズが生じていない前記タイムラグ内にてノイズ低減処理が実行されることに起因して、動画とともに記録される音声が不自然になる現象の発生を防止することができる。
【０００８】
また、請求項２記載の発明にあっては、電流により駆動される所定の動作手段を備えた機器に配置され、前記動作手段の動作に伴って発生するノイズを低減処理するノイズ低減処理手段を備えるノイズ低減装置であって、前記動作手段を駆動する電流波形に基づき、前記ノイズ低減処理手段による低減処理の実行の有無を制御する制御手段を備える。つまり、動作手段の駆動源となる電流波形に基づき、ノイズ低減処理手段の実行の有無が制御されれば、この動作装置に電流が供給され始めて当該動作装置が実際に動作を開始する時点までのタイムラグを考慮して、ノイズ低減処理手段による処理を開始させることができる。
【０００９】
また、請求項３記載の発明に係るノイズ低減装置にあっては、前記制御手段は、前記電流波形が所定の閾値以上か否かを判断する判断手段を含み、この判断手段により前記電流波形が所定の閾値以上であると判断されている場合に前記ノイズ低減処理手段による低減処理を実行する。したがって、所定の閾値により、動作手段の動作に伴って発生するノイズの発生時点とノイズ低減処理手段の処理実行とを、精度よく合致させることができる。  また、請求項４記載の発明に係るノイズ低減装置にあっては、前記制御手段は、前記電流波形に基づき、前記ノイズ低減処理手段の処理開始タイミング及び又は処理終了タイミングを制御する。したがって、ノイズ低減処理の開始タイミングのみならず、終了タイミングに関しても精度を高めることができる。
【００１０】
また、請求項５記載の発明に係るノイズ低減装置にあっては、前記動作手段は、モーターである。モーターの場合、慣性により回転を開始するまでにライムラグが生じやすいことから、このライムラグを考慮して、当該モーターが実際に動作を開始した時点から精度よく、ノイズ低減処理手段による処理を開始させることができる。
【００１１】
また、請求項６記載の発明に係るノイズ低減装置にあっては、前記機器はカメラであり、前記動作手段はレンズを駆動するズームモーターである。したがって、ズームモーターの動作に伴うノイズが発生していないにも拘わらず、ノイズ低減処理が実行されることにより、画像とともに記録された音声が影響を受ける不都合が解消される。
【００１２】
また、請求項７記載の発明に係るノイズ低減装置にあっては、前記機器は、周囲の音声を検出する検出手段と、この検出手段により検出された音声を記録する録音手段とを備える。したがって、動作手段の動作に伴うノイズが発生していないにも拘わらず、ノイズ低減処理が実行されることにより、記録音声が影響を受ける不都合が解消される。
【００１３】
また、請求項８記載の発明に係るノイズ低減装置にあっては、前記ノイズ低減処理手段は、前記動作手段の動作に伴って発生するノイズを予め記憶した記憶手段と、前記ノイズの発生時において、前記検出手段により検出された音声から前記記憶手段に記憶されているノイズを減算する減算手段とを備える。したがって、前記タイムラグ内において減算手段による減算が行われることにより生ずる不都合を解消することができる。
【００１４】
また、請求項９記載の発明に係るノイズ低減装置にあっては、前記記憶手段は、前記電流波形が所定の閾値以上であるときに前記動作手段の動作に伴って発生したノイズを予め記憶する。したがって、当該動作手段が実際に動作を開始したことに起因するノイズを精度よく記憶することができる。よって、この精度よく記憶されたノイズを用いることにより、ノイズ低減処理の開始タイミング精度を高めることができる。
【００１５】
また、請求項１０記載の発明に係るノイズ低減制御プログラムにあっては、電流により駆動される所定の動作手段を備えた機器に配置され、前記動作手段の動作に伴って発生するノイズを低減処理するノイズ低減処理手段を備えるノイズ低減装置が有するコンピュータを、前記動作手段を駆動する電流波形に基づき、前記ノイズ低減処理手段による低減処理の実行の有無を制御する制御手段として機能させる。したがって、前記コンピュータがこのプログラムに従って処理を実行することにより、請求項２記載の発明と同様の作用効果を奏する。
また、請求項１１記載の発明にあっては、電流により駆動される所定の動作手段を備えた機器において、前記動作手段の動作に伴って発生するノイズをノイズ低減処理手段により低減処理するノイズ低減方法であって、  前記動作手段を駆動する電流波形に基づき、前記ノイズ低減処理手段の実行の有無を制御する。したがって、記載した制御を実行することにより、請求項２記載の発明と同様の作用効果を奏する。
【発明の効果】
【００１６】
以上のように本発明に係る電子カメラによれば、動作手段の駆動源となる電流波形に基づき、ノイズ低減処理手段の処理実行の有無を制御するようにしたことから、この動作装置に電流が供給され始めて当該動作装置が実際に動作を開始する時点までのタイムラグを考慮して、ノイズ低減処理手段による処理を開始させることができる。よって、精度よくノイズの発生に対応したノイズ低減処理を行うことができ、その結果、実際にはノイズが生じていない前記タイムラグ内にてノイズ低減処理が実行されることに起因して、動画とともに記録される音声が不自然になる現象の発生を防止することができる。
【００１７】
また、本発明に係るノイズ低減装置によれば、動作手段の駆動源となる電流波形に基づき、ノイズ低減処理手段の処理実行の有無を制御するようにしたことから、この動作装置に電流が供給され始めて当該動作装置が実際に動作を開始する時点までのタイムラグを考慮して、ノイズ低減処理手段による処理を開始させることができる。よって、精度よくノイズの発生に対応したノイズ低減処理を行うことができ、その結果、実際にはノイズが生じていない前記タイムラグ内にてノイズ低減処理が実行されることに起因する不利な現象の発生を解消することができる。
【発明を実施するための最良の形態】
【００１８】
以下、本発明の一実施の形態を図に従って説明する。図１は、本発明の一実施の形態を適用したデジタルカメラ１０の回路構成を示すブロック図であり、このデジタルカメラ１０は、ＡＥ、ＡＷＢ、ＡＦ等の一般的な機能を有するものである。すなわち、レンズブロック１１には、ズームレンズ、フォーカスレンズ等の光学系、及び光学系を駆動するための駆動機構が含まれており、前記光学系は、駆動機構に設けられているズームモーター１２（ＤＣモーター）によって光軸方向に駆動される。デジタルカメラ１０全体を制御するＣＰＵ１３には、バス１４及びタイミング発生器（ＴＧ：Timing Generator）１５を介してモータードライバ１６が接続されており、モータードライバ１６は、ＣＰＵ１３の命令に従いタイミング発生器１５が発生するタイミング信号に基づき、ズームモーター１２を駆動する。なお、ストロボ１７もタイミング発生器１５が発生するタイミング信号により駆動される。また、図示は省略するが、実際には、フォーカスレンズを駆動するためのフォーカスモーター及びモータードライバや、メカシャッターやメカ絞り及びそれらを駆動するための駆動機構等が設けられている。
【００１９】
また、デジタルカメラ１０は撮像素子としてＣＣＤ１８を有している。ＣＣＤ１８は、レンズブロック１１の光軸上に配置されており、被写体は、レンズブロック１１によってＣＣＤ１８の受光面に結像される。ＣＣＤ１８は、ＣＰＵ１３の命令に従いタイミング発生器１５が生成するタイミング信号に基づき垂直及び水平ドライバ１９によって駆動され、被写体の光学像に応じたアナログの撮像信号をユニット回路２０に出力する。ユニット回路２０は、ＣＣＤ１８の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部２１へ出力する。
【００２０】
画像処理部２１は、入力した撮像信号に対しペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。画像処理部２１で変換されたＹＵＶデータは順次ＳＤＲＡＭ２２に格納されるとともに、ＲＥＣスルー・モードでは１フレーム分のデータ（画像データ）が蓄積される毎にビデオ信号に変換され、バックライト（ＢＬ）２４を備える液晶モニタ（ＬＣＤ）２３へ送られてスルー画像として画面表示される。
【００２１】
そして、静止画撮影モードにおいては、シャッターキー操作をトリガとして、ＣＰＵ１３は、ＣＣＤ１８、垂直及び水平ドライバ１９、ユニット回路２０、及び画像処理部２１に対してスルー画撮影モードから静止画撮影モードへの切り替えを指示し、この静止画撮影モードによる撮影処理により得られ、ＳＤＲＡＭ２２に一時記憶された画像データは、ＣＰＵ１３により圧縮され、最終的には所定のフォーマットの静止画ファイルとして外部メモリ２５に記録される。また、ムービー録画モードにおいては、１回目のシャッターキーと２回目のシャッターキー操作との間に、ＳＤＲＡＭ２２に順次記憶される複数の画像データがＣＰＵ１３により順次圧縮され、動画ファイルとして外部メモリ２５に記録される。この外部メモリ２５に記録された静止画ファイル及び動画ファイルは、ＰＬＡＹ・モードにおいてユーザーの選択操作に応じてＣＰＵ１３に読み出されるとともに伸張され、ＹＵＶデータとしてＳＤＲＡＭ２２に展開された後、液晶モニタ２３に表示される。
【００２２】
フラッシュメモリ２６には、ＣＰＵ１３に前記各部を制御させるための各種のプログラム、例えばＡＥ、ＡＦ、ＡＷＢ制御用のプログラムや、データ通信用プログラム、さらには、ＣＰＵ１３を本発明のノイズ低減処理手段、制御手段として機能させるためのプログラム等の各種のプログラムが格納されている。
【００２３】
また、デジタルカメラ１０は、電源スイッチ、モード選択キー、シャッターキー、ズームキー等の複数の操作キー及びスイッチを含むキー入力部２７、及びニッケル水素電池等の充電可能なバッテリー２８、このバッテリー２８の電力を各部に供給するための電源制御回路２９、及びこれらを制御するマイコン３０を有している。マイコン３０は、キー入力部２７における前記操作キーの操作の有無を定常的にスキャンしており、ユーザーによっていずれかの操作キーが操作されると、その操作内容に応じた操作信号をＣＰＵ１３へ送る。そして、電流波形検出回路３１は、ズームモーター１２に供給される電流波形（モータードライバー１６の電流波形の電圧）を検出して、ＣＰＵ１３に出力する。
【００２４】
また、このデジタルカメラ１０は、前記ムービー録画モードにおいて、周囲の音声を記録する録音機能を備えており、ＣＰＵ１３には、音声処理回路３２を介して、スピーカ（ＳＰ）３３と、マイクロホン（ＭＩＣ）３４とが接続されている。音声処理回路３２は、ムービー録画モード時には、マイクロホン３４から入力された音声波形を処理して、音声波形データをＣＰＵ１３に入力する。そして、ＣＰＵ１３は、ムービー録画モードにおいて１回目と２回目のシャッターキー操作間に、音声処理回路３２から入力された音声波形データを圧縮し、この圧縮音声データと圧縮動画データとを含む音声付き動画ファイルを生成して外部メモリ２５に記録する。この外部メモリ２５に記録された音声付き動画ファイルは、ＰＬＡＹ・モードにおいて動画データが再生される際に、音声データが音声処理回路３２で音声波形に変換されてスピーカ３３により再生される。なお、音声記録を行うタイミングは、動画撮影時に限定されず、音声付き静止画撮影モードにおける録音動作時でもよく、また、録音モードやアフレコモードにおける録音動作時でもよい。
【００２５】
図２は、前記音声処理回路３２の詳細を示すブロック図である。図示のように、前記マイクロホン３４とＣＰＵ１３に接続された音声処理回路３２には、マイクアンプ（ＭＩＣ  ＡＭＰ）３２１、ＡＤコンバータ（ＡＤＣ）３２３、オーディオインターフェイス３２４が設けられている。したがって、後述するズーム音録音モードにおいては、マイクロホン３４から入力されたズーム音をマイクアンプ３２１で増幅し、ＡＤコンバータ３２３でズーム音データに変換し、このズーム音データを、オーディオインターフェイス３２４を介してＣＰＵ１３に入力する。このとき、ＣＰＵ１３は、減算器として機能せず、前記電流波形ＯＮからＯＦＦまでのズーム音データをエンコードして、フラッシュメモリ２６に記憶させる。
【００２６】
また、後述するムービー録画モードにおいては、電流波形がＯＮになると、ＣＰＵ１３はフラッシュメモリ２６からズーム音データを読み出してデコードする。また、ＣＰＵ１３はムービー録画モードにおいては減算器として機能し、音声処理回路３２を介してマイクロホン３４より入力される音声データからズーム音波形を減算する。そして、このズーム音波形が減算された音声データをエンコードして、外部メモリ２５に記憶させる。
【００２７】
図３は、図１におけるズームモーター１２とモータードライバ１６とからなるＡ部の詳細を示す回路図である。図示のように、モータードライバ１６には、直列接続されたスイッチ１、２、及びスイッチ３、４が並列接続された回路を有し、前記ズームモーター１２は、スイッチ１、２、とスイッチ３、４間に並列接続されている。そして、スイッチ１、４がオン状態となることによりズームモーター１２は正転し、スイッチ２、３がオン状態となることによりズームモーター１２は逆転するように構成されている。また、これらスイッチ１、４のオン状態、及びスイッチ２、３のオン状態における電流波形がスイッチ２、４と接地間から取り出されて、前記電流波形検出回路３１に供給される。
【００２８】
以上の構成に係る本実施の形態において、ユーザはモード選択キーの操作によりズーム音録音モードを設定し、静寂な環境下でキー入力部２７に設けられているノイズ登録キーを操作する。すると、ＣＰＵ１３には前記プログラムに基づき、図４のフローチャートに示すように処理を実行する。先ず、モータードライバ１６において、スイッチ１、４、又はスイッチ２、３をオンさせて、ズームモーター１２の駆動を開始し（ステップＳ１０１）、所定の初期位置にあるズームレンズを限界位置方向に駆動する。次に、電流波形検出回路３１に検出されている電流波形がＯＮとなったか否かを判断する（ステップＳ１０２）。
【００２９】
すなわち、フラッシュメモリ２６には、図５に示すように、電流波形検出回路３１で検出される電流波形のスレッシュホールドＶ０が記憶されており、このスレッシュホールドＶ０はズームモーター１２が実際に回転を開始する時の電流波形の電圧値を実験的に得て決定した値である。そして、ＣＰＵ１３はズームモーター１２の駆動開始に伴って上昇する電流波形が、スレッシュホールドＶ０に上昇到達した場合、電流波形ＯＮと判断する。したがって、前記スイッチのオン直後であって、電流波形がスレッシュホールドＶ０に上昇到達していなければ（ズームモーター１２が実際に回転を開始していなければ）、ステップＳ１０２の判断はＮＯとなり、録音停止状態を維持する（ステップＳ１０３）。
【００３０】
そして、電流波形がスレッシュホールドＶ０に上昇到達すると（ズームモーター１２が実際に回転を開始し始めると）、電流波形ＯＮと判断する（ステップＳ１０２；ＹＥＳ）。したがって、ステップＳ１０２からステップＳ１０４に進んで録音を開始し、マイクロホン３４から入力されるズームモーター１２の回転及びズームレンズの駆動に伴って生ずるノイズを音声処理回路３２によって処理させる（ステップＳ１０４）。さらに、この音声処理回路３２から得られる音声データ（ズーム音データ）をフラッシュメモリ２６に記録していく（ステップＳ１０５）。また、このステップＳ１０５の処理を行ったならば、ステップＳ１０２からの処理を繰り返す。したがって、電流波形のＯＮ状態が継続する限り、ステップＳ１０２→Ｓ１０４→Ｓ１０５→Ｓ１０２ループが繰り返され、フラッシュメモリ２６には電流波形ＯＮ後のズーム音データが記録されることとなる。
【００３１】
そして、ズームモーター１２の正転によりレンズブロック１１内のズームレンズが初期位置から限界位置まで移動した後、逆転により再度初期位置に戻ると、モータードライバ１６は、例えばスイッチ１、３をＯＮにし、あるいは全てのスイッチ１から４をＯＦＦにする。これにより、ズームモーター１２は制動され、また電流波形は下降する。そして、電流波形がスレッシュホールドＶ０に下降到達すると（モータードライバ１６が実際に停止すると）、ステップＳ１０２の判断がＮＯとなる。よって、ステップＳ１０３に進み録音を停止する。
【００３２】
したがって、以上のズーム音録音処理により、フラッシュメモリ２６には、ズームレンズを初期位置から限界位置まで移動させた際のズームモーター１２正転時のズーム音データと、ズームレンズを限界位置から初期位置まで移動させた際のズームモーター１２逆転時のズーム音データとが記憶されることとなる。
【００３３】
また、ユーザがムービー録画モードを設定して、１回目のシャッターキー操作を行うと、ＣＰＵ１３には前記プログラムに基づき、図６のフローチャートに示すように処理を実行する。先ず、録画及び録音を開始し、画像データに関しては順次外部メモリ２５に記録していく（ステップＳ２０１）。次に、前述した図４のステップＳ１０２の判断と同様に、電流波形がＯＮとなったか否かを判断する（ステップＳ２０２）。したがって、ユーザがズームキーを操作していない場合、あるいは操作したが未だ電流波形がＯＮとなっていない場合には、このステップＳ２０２の判断はＮＯとなる。よって、ステップＳ２０５に進んで、マイクロホン３４により検出された音声データを外部メモリ２５に記憶させる。このとき、ズームモーター１２は動作していないことから、ズームモーター１２の動作に伴って発生するノイズが、音声とともに記憶されることはない。
【００３４】
そして、ユーザがズームキーを操作し、電流波形がＯＮとなって、ズームモーター１２が回転を開始したならば、フラッシュメモリ２６から前記ズームモーター１２の回転方向に応じたズーム音データを読み出す（ステップＳ２０３）。引き続き、マイクロホン３４及び音声処理回路３２を介して得られた周囲の音声データからズーム音を減算する減算処理を行い、この減算処理を行った音声データを記憶すべき音声データとする（ステップＳ２０４）。したがって、このステップＳ２０４での処理により、ズームモーター１２が実際に回転を開始して、そのノイズ（ズーム音データ）が実際にマイクロホン３４から入力した音声データから減算されることとなる。しかる後に、このノイズ（ズーム音データ）が減算された音声データを外部メモリ２５に記憶する。
【００３５】
そして、レンズブロック１１内のズームレンズが限界位置まで移動し、あるいはユーザがズームキーの操作をやめると、モータードライバ１６は、例えばスイッチ１、３をＯＮあるいは全てのスイッチ１〜４をＯＦＦにする。これにより、ズームモーター１２は制動され、また電流波形は下降する。そして、電流波形がスレッシュホールドＶ０に下降到達すると（モータードライバ１６が実際に停止すると）、ステップＳ１０２の判断がＮＯとなる。よって、ステップＳ２０３及びステップＳ２０４の処理を行うことなく、ステップＳ２０５の処理を行う。したがって、電流波形がスレッシュホールドＶ０に下降到達した後、つまりズームモーター１２が既に停止しているにも拘わらず、ステップＳ２０４の減算処理が行われることはない。
なお、ユーザが２回目のシャッターキー操作を行うことにより、外部メモリ２５への画像データ及び音声データの記憶は停止されることとなる。
【００３６】
（他の実施の形態）
（１）図７は、本発明の他の実施の形態における要部回路ブロック図である。この実施の形態は、前記マイクロホン３４とＣＰＵ１３に接続された音声処理回路３２内で減算処理を行うようにしたものである。音声処理回路３２には、マイクアンプ（ＭＩＣ  ＡＭＰ）３２１、減算器３２２、ＡＤコンバータ（ＡＤＣ）３２３、オーディオインターフェイス３２４、及びＤＡコンバータ（ＤＡＣ）３２５が設けられている。
【００３７】
したがって、前記ズーム音録音モードにおいては、マイクロホン３４から入力されたズーム音をマイクアンプ３２１で増幅し、このとき減算器３２２は停止させておき、ＡＤコンバータ３２３でズーム音データに変換する。このズーム音データを、オーディオインターフェイス３２４を介してＣＰＵ１３に入力し、ＣＰＵ１３は前記電流波形ＯＮからＯＦＦまでのズーム音データをエンコードして、フラッシュメモリ２６に記憶させる。
【００３８】
また、ムービー録画モードにおいては、前記電流波形がＯＮになると、ＣＰＵ１３はフラッシュメモリ２６からズーム音データを読み出してデコードし、このデコードされたズーム音データはＤＡコンバータ３２５によりアナログズーム音波形に変換される。すると、減算器３２２は、マイクアンプ３２１を介してマイクロホン３４から入力される音声波形からズーム音波形を減算して、ＡＤコンバータ３２３に出力し、ＡＤコンバータ３２３は、このズーム音波形が減算された音声波形を音声データに変換する。この音声データは、オーディオインターフェイス３２４を介してＣＰＵ１３に入力され、ＣＰＵ１３はこれをエンコードして、外部メモリ２５に記憶させる。
【００３９】
したがって、この実施の形態においても、前述した実施形態と同様に、精度よくズームモーター１２の動作に伴うノイズの発生に対応した低減処理を行うことができる。しかも、ＣＰＵ１３は減算処理を行う必要がないことから、ＣＰＵ１３の処理負担を軽減することができる。
【００４０】
（２）なお、各実施の形態においては、本発明をズームモーター１２のノイズ低減処理に適用した場合を示したが、レンズブロック１１に設けられているフォーカスレンズを駆動するＡＦモーターの回転及びズームレンズの駆動に伴って生ずるノイズのノイズ低減処理に適用するようにしてもよい。この場合、図４及び図６のフローチャートにおける「ズームモーター」を「ＡＦモーター」と置き換え、「ズーム音」を「ＡＦ音」と置き換えれば、同図に示したフローチャートに従って処理を行うことができる。また、ＤＣモータに限らず、ステッピングモータのノイズ低減処理に適用するようにしてもよい。
【００４１】
（３）シャッターや絞り機構が電流波形で駆動される場合、あるいは電流波形で駆動されるハードディスクを有するカメラにおいては、同様の置き換えを行うことにより、前述したフローチャートを用いて本発明を適用することができる。カメラに限らず電流波形で駆動されるハードディスクを有する各種装置や、各種録音装置等に本発明を適用することができる。また、本実施の形態においては、予め記憶したノイズデータを記録する音声データから減算するノイズ低減処理を用いるようにしたが、ノイズ低減処理はこれに限らず、マイクロホンにより検出される音声のレベルを一定レベルに減衰させたり（録音処理の禁止を含む）、所定のフィルタ処理を施すようにしたり、ノイズ波形と逆位相の波形データを加算する等、いかなるノイズ低減処理を用いてもよい。
【図面の簡単な説明】
【００４２】
【図１】本発明の一実施の形態を適用したデジタルカメラの電気的構成を示すブロック図である。
【図２】音声処理回路の詳細を示すブロック図である。
【図３】図１におけるＡ部の詳細を示す回路図である。
【図４】ズーム（ＡＦ）音録音モードの処理手順を示すフローチャートである。
【図５】電流波形及びスレッシュホールドを示す波形図である。
【図６】ムービー録画モードの処理手順を示すフローチャートである。
【図７】本発明の第２の実施の形態を示す要部ブロック図である。
【符号の説明】
【００４３】
１０    デジタルカメラ
１１    レンズブロック
１２    ズームモーター
１３    ＣＰＵ
１４    バス
１５    タイミング発生器
１６    モータードライバ
１８    ＣＣＤ
１９    水平ドライバ
２０    ユニット回路
２１    画像処理部
２２    ＳＤＲＡＭ
２３    液晶モニタ
２５    外部メモリ
２６    フラッシュメモリ
２７    キー入力部
３１    電流波形検出回路
３２    音声処理回路
３４    マイクロホン
Ｖ０    スレッシュホールド
【図１】
2006179996.tif 000003
【図２】
2006179996.tif 000004
【図３】
2006179996.tif 000005
【図４】
2006179996.tif 000006
【図５】
2006179996.tif 000007
【図６】
2006179996.tif 000008
【図７】
2006179996.tif 000009